(57)【要約】【課題】特に車両用加熱装置のバーナのための、燃焼室配置を提供する。【解決手段】点火部材２０上に形成された対台座域３０に接するように台座域２８が設けられているハウジング配置１２と、点火部材２０をハウジング配置１２上に保持するための弾性効果保持部材３６とを含み、保持部材３６は、点火部材２０に対して支持される第一支持域４０と、ハウジング配置１２に対して支持される第二支持域４４とを有し、点火部材２０及び／またはハウジング配置１２上で支持されて、ハウジング配置１２の点火部材通過開口部３２をほぼシールされたクロージャとする燃焼室配置である。【選択図】　　　　図１
2004037070.tif 000002
【特許請求の範囲】
【請求項１】
特に車両用加熱装置のバーナのための、燃焼室配置であって、
点火部材（２０）上に形成された対台座域（３０）に接するように台座域（２８）が設けられているハウジング配置（１２）と、
点火部材（２０）をハウジング配置（１２）上に保持するための弾性効果保持部材（３６）と、
を含み、当該保持部材（３６）は、点火部材（２０）に対して支持される第一支持域（４０）と、ハウジング配置（１２）に対して支持される第二支持域（４４）とを有し、点火部材（２０）及び／またはハウジング配置（１２）上で支持されて、ハウジング配置（１２）の点火部材通過開口部（３２）をほぼシールされたクロージャとする、燃焼室配置。
【請求項２】
前記保持部材（３６）が、その第二支持域（４４）において支持突起（４４）を有し、当該支持突起（４４）は、前記点火部材通過開口部（３２）に関して、点火部材通過開口部（３２）の周囲に少なくとも一部延在して、かつ支持突起（４４）自体のほぼ外周全長にわたって点火部材通過開口部（３２）に接する、請求項１記載の燃焼室配置。
【請求項３】
支持面（５０）が、前記ハウジング配置（１２）上に形成され、前記支持突起（４４）に割り当てられ、かつ少なくとも局部的に点火部材通過開口部を取り囲んでいる、請求項２記載の燃焼室配置。
【請求項４】
前記支持突起（４４）が、逆とげのように支持面（５０）と係合する、請求項３記載の燃焼室配置。
【請求項５】
前記支持突起（４４）が、プレストレスを受けて支持面（５０）に接するシーリング・リップ域（４８）を有する、請求項３または請求項４記載の燃焼室配置。
【請求項６】
前記保持部材（３６）は鉢状に形成され、床域には第一支持域（４０）を、そして壁域（４２）には第二支持域（４４）を有する、請求項２ないし請求項６のいずれか一項に記載の燃焼室配置。
【請求項７】
前記保持部材（３６）が、点火部材（２０）にプレストレスを与えて、その対台座域（３０）を台座域（２８）に隣接させる、請求項２ないし請求項６のいずれか一項に記載の燃焼室配置。
【請求項８】
前記保持部材（３６）がゴム弾性材料から形成される、請求項１ないし請求項７のいずれか一項に記載の燃焼室配置。
【発明の詳細な説明】
【０００１】
【発明が属する技術分野】
本発明は、点火部材上に形成された対台座域（ｃｏｕｎｔｅｒ−ｓｅａｔｉｎｇ　ｒｅｇｉｏｎ）に接するように台座域が設けられているハウジング配置と、点火部材をハウジング配置上に保持するための弾性効果保持部材とを含む、特に車両用バーナのための燃焼室配置に関し、この保持部材は、点火部材に対して支持される第一支持域と、ハウジング配置に対して支持される第二支持域とを有する。
【０００２】
【従来の技術】
ＤＥ−ＯＳ　１　５５１　６８１は、ハウジング上に支持される点火部材を開示している。点火部材引込開口部または通過開口部が、ハウジング中に設けられ、点火部材は、取り付けられた状態でその開口部の中を部分的に通過する。点火部材は、金属薄板から製造され、かつ複数の保持フランジを有する保持部材によって、ハウジング上に保持される。それから保持フランジは、点火部材引込開口部の内周壁に接するように位置し、その場所で保持フランジ自体の弾性によって支持され、保持効果をもたらす。
【０００３】
ＤＥ　２９８　０２　２２６　Ｕ１は、車両用加熱装置のための燃焼室配置を開示している。当該燃焼室配置において、点火部材は、燃焼室の端域と部分的に係合するように、点火部材引込開口部の中に保持され、当該端域は、燃焼室の中にある混合物に点火するのに効果的である。クランプ状保持部材は、点火部材がしっかりと燃焼室配置のハウジングに保持されることを確実にする。このクランプ状保持部材は、点火部材の長手方向に対して横方向に、または点火部材が点火部材引込開口部の中に押し込まれる方向に対して横方向に押される。
【０００４】
ＥＰ　０　５７９　１５７　Ｂ１は、ハウジング上に保持される点火部材を開示しており、その弾性プレストレスにより点火部材をハウジングに固定するクランプ状バネ部材が設けられている。
【０００５】
【発明が解決しようとする課題】
本発明の目的は、点火部材をハウジング上に保持する領域においてより良い機能性を達成することのできる、特に車両用加熱装置のバーナのための燃焼室配置を提供することである。
【０００６】
【課題を解決するための手段】
この目的は、本発明に従い、点火部材上に形成された対台座域（ｃｏｕｎｔｅｒ−ｓｅａｔｉｎｇ　ｒｅｇｉｏｎ）に接するように台座域が設けられているハウジング配置と、点火部材をハウジング配置上に保持するための弾性効果保持部材とを含む、特に車両用加熱装置のバーナのための燃焼室配置であり、当該ハウジング部材が、点火部材に対して支持される第一支持域と、ハウジング配置に対して支持される第二支持域とを有する、燃焼室配置によって達成される。
【０００７】
さらに、保持部材が、点火部材及び／またはハウジング配置上で支持されて、ハウジング配置の点火部材通過開口部をほぼシールされたクロージャとするように構成する。
【０００８】
本発明による燃焼室配置にとって、ハウジング配置上に点火部材を保持するための保持部材が、同時にその保持領域においてハウジング配置のシール・クロージャも確保するという点で、二重機能を満たすということが必須である。従って、追加のシーリング部材を設ける必要はない。これにより、構造が簡潔化され、複数の機能を一つの部品に統合することにより、生産費が低減する。
【０００９】
例えば、前記保持部材が、その第二支持域において支持突起を有し、この支持突起が、前記点火部材通過開口部に関して、点火部材通過開口部の周囲に少なくとも一部延在して、かつ支持突起自体のほぼ外周全長にわたって点火部材通過開口部に接するように構成することができる。ハウジング配置に対する保持部材の特定された協同効果（ｃｏｏｐｅｒａｔｉｖｅ　ｅｆｆｅｃｔ）を達成するために、少なくとも局部的に点火部材通過開口部を取り囲むとともに、支持突起と結合された支持面が、ハウジング配置上に形成されることが提案されている。
【００１０】
支持突起が支持面上に逆とげ（ｂａｒｂ）のように係合するように、保持部材とハウジング配置との望ましくない解放が生じないように、これらを共に保持することができる。従って、満足のいくシール・クロージャのために、支持突起は、プレストレスを受けて支持面に接するシーリング・リップ域を有することを確実とすることができる。
【００１１】
前記保持部材は、例えば鉢状（ｐｏｔ−ｓｈａｐｅｄ）に形成することができ、床域には第一支持域を、そして壁域には第二支持域を有することができる。
【００１２】
対台座域が台座域に接した状態で、点火部材が前記保持部材によるプレストレスを受けたとき、一方では、点火部材はハウジング配置に対して特定の態様で保持されるため、クリック音を防ぐことができる。他方では、このように接することにより、シール・クロージャを達成するために非常に有利な反力をもたらす。
【００１３】
前記保持部材は、ゴム弾性材料から形成することができる。天然ゴムまたは合成ゴム材料は特に本発明において使用することが好ましい。これらの材料が、この周囲の雰囲気（ｓｕｒｒｏｕｎｄｉｎｇ　ａｔｍｏｓｐｈｅｒｅ）に対し耐性を有するように、さらには、当該配置が作動する温度域において耐熱性を有するように、注意が必要である。
【００１４】
【発明の実施の形態】
本発明は、燃焼室配置のセクションが示されている添付の図を参照して、以下に詳細に説明される。
【００１５】
概して符号１０で表される燃焼室配置のセクションが、図面にて示されている。このセクションは、ハウジング配置１２の部分を示している。ハウジング配置１２のハウジング部分１６は、燃焼室１４（一部のみ図示されている）と隣接しており、かつ例えば円形の輪郭に形成されるとともに、かつ例えばグロー点火ピンとして形成された燃焼部材２０が組み立てられた状態で少なくともその一部を受ける凹部１８を有する。燃焼室１４と境を接する上記ハウジング部分１６と、これに接続されており、かつ例えば一体形成された追加のハウジング部分１７との間に、圧力空間１９が形成される。燃焼室１４へと供給するためのファンによって、この圧力空間１９を通して圧縮空気が供給される。点火のために熱効果を有するようになる点火部材２０のセクション２２は、少なくとも燃焼室１４の領域内へと突き出ており、かつその場所においてブッシュのように形成された多孔性材料２４に取り囲まれている。この多孔性材料２４も部分的に凹部１８の中に位置しており、この凹部１８の床域２６上で、当該凹部１８の長手軸Ｌの方向に支持され得る。
【００１６】
凹部１８は、点火部材２０に対応して形成された対台座面３０が接する円錐状台座面２８を形成する。このようにして、ハウジング配置１２に対する点火部材２０の位置は特定され、固定される。さらに、点火部材２０のための引込開口部もしくは通過開口部３２が、凹部１８の軸延長部（ａｘｉａｌ　ｅｘｔｅｎｓｉｏｎ）として、ハウジング配置１２のハウジング部分１７中に設けられ、点火部材２０は、ハウジング配置１２に挿入される際に、当該開口部３２を通して誘導される。図に示される取付状態で、点火部材２０は、その後方端域３４が開口部３２中に突出している。帽子または鉢状に形成された保持部材３６は、点火部材２０の端域３４上に押しつけられる。保持部材３６には床域３８があり、この床域３８から点火部材２０の端域３４まで第一支持域４０が延在して、当該端域３４に接している。壁域４２は床域３８に隣接し、点火部材２０の端域３４を取り囲み、かつ開口部３２の内周形状に適合した形状になされており、従って、例えば円形の外周形状をしている。開口部の長手軸Ｌの方向に配された壁域４２の端域には、開口部の周り環状に延在するとともに、半径方向外側へ突き出た突起４４がある。組み立てられた状態では、この突起４４は、開口部３２の環状溝形拡幅部４６中にほぼ完全に収容される。突起４４は逆とげ状に形成されているため、嵌め込まれた状態では、ハウジング１２の開口部３２の周りに環状に延在する支持面５０上のシーリング・リップ域４８で支持されるか、または拡幅部４６の床壁上の外周面５２に接する。
【００１７】
保持部材３６はゴム弾性材料から作られるため、弾性変形可能である。保持部材３６は、図に示されている状態でプレストレスを受け、グロー点火ピン２０（すなわち第一支持域４０）と、ハウジング配置（すなわち第二支持域をほぼ形成する突起４４）との両方に接するような寸法とされている。従って、対台座面３０が台座面２８にしっかりと接した状態で、点火部材２０は保持部材３６によるプレストレスを受ける。さらに、開口部３２のシール・クロージャが達成される。これによって、保持部材３８は、支持面５０上のシーリング・リップ域４８と、拡幅部４６の床域上の外周面５２と、ハウジング配置１２の対応する接触面５６上の略円錐状または円錐台状の端面５４と接する。さらに、好ましくは上記三つの領域すべてで弾性プレストレスを受けて接触が生じるように、突起４４の寸法が選択される。よって、ハウジング１２によって取り囲まれる体積域（ｖｏｌｕｍｅｒｅｇｉｏｎ）は、開口部３２を通って出る、そして当然のことながら開口部３２を通って入るあらゆる物質に対して、保持部材３６によって閉じられる。同様に点火部材２０に電気エネルギーを供給するためには、保持部材３６の床域３８に電気リード線用の通過開口部を設けることができる。特に、保持部材３６が、開口部３２の内周壁へのプレストレスを受けて、かつ同時に点火部材２０の端域３４での壁４２の内周面へのプレストレスを受けて、その壁域４２と、または壁域４２の外周面と接するように、保持部材３６の寸法がさらに選択された場合、電気リード線用の引込領域ではシーリングの問題は一切生じない。なぜならば、一方では保持部材３６と点火部材２０との、また他方では保持部材３６とハウジンブ１２とのシール・クロージャは、燃焼室１４の近くに位置する領域において既に達成されているからである。
【００１８】
従って燃焼室配置１０では、保持部材３６が、一方ではハウジング配置１２と、すなわちハウジング配置１２のハウジング部分１６としっかりと接した点火部材２０を保持し、他方では、点火部材２０がその中を通ってハウジング配置１２に導入される開口部のシール・クロージャを達成するという点で、保持部材３６は二重機能を果たす。さらに、保持部材３６の弾性により、製作公差を補うこともできる。
【００１９】
点火部材２０をハウジング配置１２に組み込む際に、既に端域３４に設けられている保持部材３６とともに、点火部材２０を開口部３２を通して凹部１８の中へと押し込むことができ、その結果、保持部材３６は、弾性変形して端域３４を取り囲みつつ、開口部３２に入り、弾性的に広がってラッチし、その突起４４は溝状拡幅部４６の中に入る。あるいは、保持部材がその中に位置すべき開口部３２が、軸Ｌの横方向に開口するように、すなわち例えば、図１の面から上方向に開口するように、開口部３２を設計することも可能である。そして、保持部材３６の中に既に収容されている端域３４とともに、保持部材３６を開口部３２の中へと横方向に押し込むことができる。そして、開口部３２の開口側を、追加のハウジング部分（例えばハウジング・カバー）で閉じることができる。本実施形態では、支持域を提供する突起４４が、保持部材３６の外周域（ハウジング部分１７の開口部３２の中に収容される）上のみに設けられるように、保持部材を形成することができ、従って保持部材３６の外側は必ずしも円形の外周ではない。追加のハウジング部分（例えばハウジング・カバー）が開口部３２のクロージャを、そして当然のことながら圧力空間１９のクロージャを確保する側に、保持部材３６は、その表面ほぼ全体でこの追加のハウジング部材と接する平面を有し得る。また、点火部材２０に関して、点火部材２０を収容する開口部１８は、周辺方向において必ずしも完全に閉じる必要はなく、同様に、この開口部１８を横方向に開口したままにしておくことにより、必要な場合には多孔性材料２４とともに、点火部材２０を横方向に挿入することができるということを記載しておく。また、追加のハウジング部分またはハウジング・カバーによる横方向クロージャも可能である。
【００２０】
言うまでもなく、特にハウジング配置１２の上記構造は異なるものになり得るということも記載しておく。従って、当然のことながら、凹部１８が開口部３２に直接隣接して、よって開口部３２が凹部１８の一部を形成することも可能である。また、上記のように、複数の部分から成るハウジング配置１２を形成して、例えば一つの部分に凹部１８を設けて、他の部分に開口部３２を設けることも可能である。
【００２１】
【図面の簡単な説明】
【図１】燃焼室配置の断面を示す図である。
【符号の説明】
１０　　燃焼室配置
１２　　ハウジング配置
２０　　点火部材
２８　　台座域
３０　　対台座域
３２　　点火部材通過開口部
３６　　保持部材
４０　　第一支持域
４２　　壁域
４４　　第二支持域
４８　　シーリング・リップ域
５０　　支持面
【図１】
2004037070.tif 000003